(57)【要約】【課題】電源プラグが電源プラグ挿入口に挿入されている状態においては運搬をし難い状態にすることができる可搬装置を提供する。【解決手段】可搬装置１００は、筐体１１０、取手１３０、圧縮バネ１４０、ロック爪１５０、レバー部１６０およびリンク部１７０を備える。筐体１１０は、電源プラグ１１４を挿入するための電源プラグ挿入口１１２を有する。取手１３０は、筐体１１０の内部と外部との間を移動可能である。圧縮バネ１４０は、取手１３０を筐体１１０の外部へ移動させる方向に付勢する。ロック爪１５０は、圧縮バネ１４０の付勢力によって取手１３０が筐体１１０の外部へ移動しないように取手１３０を係止するためのものである。レバー部１６０は、電源プラグ挿入口１１２において電源プラグ１１４の挿入方向または引き抜き方向に移動可能である。リンク部１７０は、ロック爪１５０とレバー部１６０とを連結する。【選択図】図１
2012042025.tif 000002
【特許請求の範囲】
【請求項１】
電源プラグを挿入するための電源プラグ挿入口を有する筐体と、
前記筐体の内部と外部との間を移動可能な把手部と、
前記把手部を前記筐体の外部へ移動させる方向に付勢する付勢部と、
前記付勢部の付勢力によって前記把手部が前記筐体の外部へ移動しないように前記把手部を係止するための係止部と、
前記電源プラグ挿入口において前記電源プラグの挿入方向または引き抜き方向に移動可能なレバー部であって、前記電源プラグ挿入口に前記電源プラグが挿入されると前記電源プラグの挿入方向へ移動する一方で、前記電源プラグが引き抜かれると前記電源プラグの引き抜き方向へ移動するレバー部と、
前記係止部と前記レバー部とを連結するリンク部と、
を備え、
前記係止部は、前記電源プラグが前記電源プラグ挿入口に挿入されている状態において前記レバー部が前記電源プラグの挿入方向へ移動している場合には前記把手部を係止する一方で、前記電源プラグが前記電源プラグ挿入口から引き抜かれた際に前記レバー部が前記電源プラグの引き抜き方向へ移動することに伴って前記リンク部によって前記把手部への係止が解除され、
前記把手部は、前記電源プラグが前記電源プラグ挿入口から引き抜かれて前記係止部による係止が解除されると前記付勢部からの付勢力によって前記筐体の外部へ移動する可搬装置。
【請求項２】
前記レバー部が前記電源プラグの挿入方向へ移動することに連動して前記把手部を前記筐体の内部へ移動させるための格納機構
を備え、
前記把手部は、前記電源プラグが前記電源プラグ挿入口に挿入されて前記レバー部が前記電源プラグの挿入方向へ移動することに連動して前記格納機構によって前記筐体の内部へ移動する請求項１に記載の可搬装置。
【請求項３】
前記把手部は、手動で前記筐体の内部へ移動する請求項１に記載の可搬装置。
【請求項４】
前記筐体は、把手可能な部分が存在しない請求項１〜３のいずれか１項に記載の可搬装置。
【請求項５】
前記把手部が前記筐体の内部に位置している状態を検知する検知部と、
可搬装置本体の動作を制御する制御部と、
前記検知部からの検知信号を、前記制御部に対して、可搬装置本体の動作を有効にする信号として入力する入力部と、
を備え、
前記制御部は、前記入力部から信号が入力されていると判断すると、可搬装置本体の動作を有効にする請求項１〜４のいずれか１項に記載の可搬装置。
【発明の詳細な説明】
【技術分野】
【０００１】
本発明は、電力の供給を受けて動作する可搬装置に関する。
【背景技術】
【０００２】
近年、可搬型のパーソナルコンピュータやワードプロセッサなどが普及し、それに伴って、容易に運搬することができるポータブルプリンタも普及し始めている。
【０００３】
従来、中型以上の大きさの画像形成装置（プリンタ）を複数人で運搬する場合は、運搬作業を確実に行うために、画像形成装置本体の持ちやすい位置に把手部が設けられる。この把手部にはいくつかのタイプが存在する。代表的なものとして、画像形成装置本体の両側面下部にそれぞれ設けられたへこみあるいは突起状の把手部であって画像形成装置の筐体に対して一体化されたタイプの把手部や、画像形成装置の底部に出没自在に支持されており、画像形成装置の運搬時にだけ手動で外部に引き出されて使用される引き出し型の把手部がある。
【０００４】
画像形成装置の運搬性を向上させるためには、単純に画像形成装置のサイズを小型軽量化するだけでは不十分であり、画像形成装置の運搬に適した把手部を備える必要がある。また、画像形成装置が小型軽量であるための気軽さから招きやすい誤った運搬方法による落下事故等のユーザの作業ミスを未然に防止できるような安全上の配慮も必要である。
【０００５】
そこで、画像形成装置の使用時には把手部がカバー部材によって覆われた状態にあり、画像形成装置の非使用時、すなわち、運搬時に画像形成装置本体からのケーブル類の離脱操作に伴って、把手部を覆っていたカバー部材が退避位置へ移動し、把手部が露出した状態となって運搬が可能となる画像形成装置が開示されている（例えば、特許文献１参照。）。
【先行技術文献】
【特許文献】
【０００６】
【特許文献１】特開平０９−１８８０３１号公報
【発明の概要】
【発明が解決しようとする課題】
【０００７】
しかしながら、特許文献１に開示された画像形成装置は、主装置および副装置から構成されており、主装置においてのみ把手部を覆うことが可能なカバー部材が設けられており、副装置においての把手部にはそのようなカバー部材が設けられていない。したがって、副装置に電源コードが装着されている場合においても副装置の運搬が可能な状態にあるため、副装置に電源コードが装着されている状態においてユーザが誤って副装置を運搬しようとした際に危険性が生じる。
【０００８】
そこで、本発明の目的は、上記課題に鑑み、電源プラグが電源プラグ挿入口に挿入されている状態においては運搬をし難い状態にすることができる可搬装置を提供することにある。
【課題を解決するための手段】
【０００９】
本発明の可搬装置は、筐体、把手部、付勢部、係止部、レバー部およびリンク部を備える。筐体は、電源プラグを挿入するための電源プラグ挿入口を有する。把手部は、筐体の内部と外部との間を移動可能である。付勢部は、把手部を筐体の外部へ移動させる方向に付勢する。係止部は、付勢部の付勢力によって把手部が筐体の外部へ移動しないように把手部を係止するためのものである。レバー部は、電源プラグ挿入口において電源プラグの挿入方向または引き抜き方向に移動可能であって、電源プラグ挿入口に電源プラグが挿入されると電源プラグの挿入方向へ移動する一方で、電源プラグが引き抜かれると電源プラグの引き抜き方向へ移動する。リンク部は、係止部とレバー部とを連結する。
【００１０】
また、係止部は、電源プラグが電源プラグ挿入口に挿入されている状態においてレバー部が電源プラグの挿入方向へ移動している場合には把手部を係止する一方で、電源プラグが電源プラグ挿入口から引き抜かれた際にレバー部が電源プラグの引き抜き方向へ移動することに伴ってリンク部によって把手部への係止が解除される。把手部は、電源プラグが電源プラグ挿入口から引き抜かれて係止部による係止が解除されると付勢部からの付勢力によって筐体の外部へ移動する。
【００１１】
この構成では、電源プラグが電源プラグ挿入口に挿入された状態では把手部が筐体の内部に格納されたままであり、電源プラグが電源プラグ挿入口から引き抜かれない限り、把手部が筐体の外部に移動することがない。すなわち、ユーザが把手部を把持して可搬装置を運搬する際には、電源プラグが電源プラグ挿入口から引き抜かれた状態にある。
【００１２】
したがって、電源プラグが電源プラグ挿入口に挿入されたままの状態でユーザが把手部を把持して可搬装置を運搬する事態が生じないため、電源コードに負荷がかかることによる電源コードへのダメージが発生することを回避できる。また、電源コードからの張力が可搬装置にかかることがないため、当該張力によってユーザが把手部から手をすべらせて可搬装置を落下させる危険性を回避できる。
【発明の効果】
【００１３】
本発明における可搬装置は、電源プラグが電源プラグ挿入口に挿入されている状態においては運搬をし難い状態にすることができる。
【図面の簡単な説明】
【００１４】
【図１】本発明の第１実施形態に係る可搬装置を運搬する際に関係する構成を示す図である。
【図２】本発明の第１実施形態に係る可搬装置を運搬する際に関係する構成を示す図である。
【図３】本発明の第１実施形態に係る可搬装置の運搬をし終えた際に関係する構成を示す図である。
【図４】本発明の第１実施形態に係る可搬装置の運搬をし終えた際に関係する構成を示す図である。
【図５】本発明の第１実施形態に係る可搬装置の外観を示す図である。
【図６】本発明の第２実施形態に係る可搬装置の運搬をし終えた際に関係する構成を示す図である。
【図７】本発明の第２実施形態に係る可搬装置の運搬をし終えた際に関係する構成を示す図である。
【図８】本発明の第４実施形態に係る可搬装置の制御機構を示す図である。
【図９】本発明の第４実施形態に係る可搬装置のＣＰＵの制御内容を示す図である。
【発明を実施するための形態】
【００１５】
以下、本発明の実施形態に係る可搬装置を、図面を参照しつつ詳細に説明する。
【００１６】
最初に、本発明の第１実施形態について説明する。
【００１７】
図１および図２は、本発明の第１実施形態に係る可搬装置１００を運搬する際に関係する構成を示す図である。
【００１８】
可搬装置１００は、筐体１１０、取手１３０、圧縮バネ１４０、ロック爪１５０、レバー部１６０、リンク部１７０を備える。可搬装置１００は、ユーザが運搬可能な装置、例えば、スキャナ、パーソナルコンピュータまたは画像形成装置が該当する。取手１３０は、本発明の把手部に相当する。圧縮バネ１４０は、本発明の付勢部に相当する。ロック爪１５０は、本発明の係止部に相当する。
【００１９】
筐体１１０は、電源プラグ１１４を挿入するための電源プラグ挿入口１１２を有する。取手１３０は、筐体１１０の内部と外部との間を移動可能である。圧縮バネ１４０は、取手１３０を筐体１１０の外部へ移動させる方向に付勢する。ロック爪１５０は、圧縮バネ１４０の付勢力によって取手１３０が筐体１１０の外部へ移動しないように取手１３０を係止するためのものである。
【００２０】
レバー部１６０は、電源プラグ挿入口１１２において電源プラグ１１４の挿入方向または引き抜き方向に移動可能であって、電源プラグ挿入口１１２に電源プラグ１１４が挿入されると電源プラグ１１４の挿入方向へ移動する一方で、電源プラグ１１４が引き抜かれると電源プラグ１１４の引き抜き方向へ移動する。
【００２１】
すなわち、レバー部１６０は、圧縮バネ１６２によって電源プラグ１１４の引き抜き方向に付勢されているため、電源プラグ挿入口１１２から電源プラグ１１４が引き抜かれると、電源プラグ１１４の引き抜き方向へ移動する。また、一方で、レバー部１６０は、電源プラグ挿入口１１２に電源プラグ１１４が挿入されると、電源プラグ１１４の押圧によって電源プラグ１１４の挿入方向に移動する。リンク部１７０は、ロック爪１５０とレバー部１６０とを連結する。
【００２２】
ロック爪１５０は、図１において示すように、電源プラグ１１４が電源プラグ挿入口１１２に挿入されている状態においてレバー部１６０が電源プラグ１１４の挿入方向へ移動している場合には取手１３０を係止する。一方で、ロック爪１５０は、図２において示すように、電源プラグ１１４が電源プラグ挿入口１１２から引き抜かれた際にレバー部１６０が電源プラグ１１４の引き抜き方向へ移動することに伴ってリンク部１７０によって取手１３０への係止が解除される。
【００２３】
取手１３０は、電源プラグ１１４が電源プラグ挿入口１１２から引き抜かれてロック爪１５０による係止が解除されると圧縮バネ１４０からの付勢力によって筐体１１０の外部へ移動する。
【００２４】
この構成では、電源プラグ１１４が電源プラグ挿入口１１２に挿入された状態では取手１３０が筐体の内部に格納されたままであり、電源プラグ１１４が電源プラグ挿入口１１２から引き抜かれない限り、取手１３０が筐体１１０の外部に移動することがない。すなわち、ユーザが取手１３０を把持して可搬装置１００を運搬する際には、電源プラグ１１４が電源プラグ挿入口１１２から引き抜かれた状態にある。
【００２５】
したがって、電源プラグ１１４が電源プラグ挿入口１１２に挿入されたままの状態でユーザが取手１３０を把持して可搬装置１００を運搬する事態が生じないため、電源コードに負荷がかかることによる電源コードへのダメージが発生することを回避できる。また、電源コードからの張力が可搬装置１００にかかることがないため、当該張力によってユーザが取手１３０から手をすべらせて可搬装置１００を落下させる危険性を回避できる。
【００２６】
図３および図４は、本発明の第１実施形態に係る可搬装置１００の運搬をし終えた際に関係する構成を示す図である。
【００２７】
図３および図４では、説明の便宜上、取手１３０を筐体１１０の外部へ移動させるための構成を省略している。可搬装置１００は、スイッチ１８１、ピニオンギア１８２およびラックギア１８３をさらに備える。スイッチ１８１、ピニオンギア１８２およびラックギア１８３は、本発明の格納機構に相当する。ラックギア１８３は、取手１３０の一部を構成する。
【００２８】
スイッチ１８１、ピニオンギア１８２およびラックギア１８３は、レバー部１６０が電源プラグ１１４の挿入方向へ移動することに連動して取手１３０を筐体１１０の内部へ移動させるための機構である。
【００２９】
取手１３０は、電源プラグ１１４が電源プラグ挿入口１１２に挿入されてレバー部１６０が電源プラグ１１４の挿入方向へ移動することに連動してスイッチ１８１、ピニオンギア１８２およびラックギア１８３によって筐体１１０の内部へ移動する。
【００３０】
取手１３０が筐体１１０の内部へ移動するときの各部の動作について説明する。図３の状態は、取手１３０が筐体１１０の内部へ移動する前の状態である。ここで、電源プラグ挿入口１１２に電源プラグ１１４が挿入されると、レバー部１６０が電源プラグ１１４の挿入方向へ移動する。電源プラグ１１４が電源プラグ挿入口１１２に完全に挿入された状態において、レバー部１６０は、スイッチ１８１を押下する位置まで移動する。
【００３１】
スイッチ１８１がレバー部１６０によって押下されると、図示しないモータに電力が供給されて当該モータが回転し、それに伴ってピニオンギア１８２が矢印方向に回転する。そうすると、ピニオンギア１８２と噛合しているラックギア１８３が筐体１１０の内部に向かって移動するため、取手１３０が筐体１１０の内部に向かって移動する。
【００３２】
電源プラグ挿入口１１２に電源プラグ１１４が挿入されると、ロック爪１５０とレバー部１６０とを連結するリンク部１７０によって、ロック爪１５０は、取手１３０を係止する位置に移動する。ロック爪１５０が取手１３０を係止する位置に移動し終えた状態において、レバー部１６０がスイッチ１８１を押下するため、取手１３０が筐体１１０の内部へ移動する前にロック爪１５０が取手１３０を係止する位置に移動し終えていることになる。
【００３３】
しかしながら、ロック爪１５０が取手１３０の筐体１１０の内部への移動に際して障害となることはない。なぜならば、ロック爪１５０は、弾性部材で構成されており、また、爪の先端部に所定の角度が形成されていることから、取手１３０が筐体１１０の内部へ移動する際には、ロック爪１５０は取手１３０に押されて弾性変形するからである。
【００３４】
このように、電源プラグ１１４が電源プラグ挿入口１１２に挿入されることに伴って取手１３０が自動的に筐体１１０の内部へ移動するため、ユーザが取手１３０を筐体１１０の内部へ移動し忘れる事態が生じることがない。また、可搬装置１００を使用する際には、取手１３０は筐体１１０の内部へ移動し終えている（格納状態にある）ため、取手１３０が邪魔になることがない。
【００３５】
図５は、本発明の第１実施形態に係る可搬装置１００の外観を示す図である。
【００３６】
図５に示すように、可搬装置１００の筐体１１０は、ユーザが把手可能な部分が存在しないと好ましい。筐体１１０に把手可能な部分が存在しないことにより、ユーザは、取手１３０を把持して可搬装置１００を運搬しようとするからである。すなわち、本実施形態では、電源プラグ挿入口１１２から電源プラグ１１４が引き抜かれない限り、取手１３０が筐体の外部へ移動することがないため、電源プラグ挿入口１１２に電源プラグ１１４が挿入された状態で可搬装置１００が運搬される虞を回避することができる。
【００３７】
したがって、電源プラグ１１４が電源プラグ挿入口１１２に挿入されたままの状態でユーザが可搬装置１００を無理やり運搬する事態が生じ難いため、電源コードに負荷がかかることによる電源コードへのダメージが発生することを回避できる。また、電源コードからの張力が可搬装置１００にかかることがないため、当該張力によってユーザが可搬装置１００から手をすべらせて可搬装置１００を落下させる危険性を回避できる。
【００３８】
次に、本発明の第２実施形態について説明する。
【００３９】
図６および図７は、本発明の第２実施形態に係る可搬装置１００の運搬をし終えた際に関係する構成を示す図である。
【００４０】
第２実施形態以降の各実施形態では、第１実施形態において説明した内容と重複する内容については省略する。
【００４１】
図６および図７では、説明の便宜上、取手１３０を筐体１１０の外部へ移動させるための構成を省略している。可搬装置１００は、ラックギア１８４、ラックギア１８５、ピニオンギア１８６、ギア１８７およびピニオンギア１８８をさらに備える。ラックギア１８４、ラックギア１８５、ピニオンギア１８６、ギア１８７およびピニオンギア１８８は、本発明の格納機構に相当する。ラックギア１８４は、取手１３０に連結している。また、ラックギア１８５は、レバー部１６０に連結している。
【００４２】
ラックギア１８４、ラックギア１８５、ピニオンギア１８６、ギア１８７およびピニオンギア１８８は、レバー部１６０が電源プラグ１１４の挿入方向へ移動することに連動して取手１３０を筐体１１０の内部へ移動させるための機構である。
【００４３】
取手１３０は、電源プラグ１１４が電源プラグ挿入口１１２に挿入されてレバー部１６０が電源プラグ１１４の挿入方向へ移動することに連動してラックギア１８４、ラックギア１８５、ピニオンギア１８６、ギア１８７およびピニオンギア１８８によって筐体１１０の内部へ移動する。
【００４４】
取手１３０が筐体１１０の内部へ移動するときの各部の動作について説明する。図６の状態は、取手１３０が筐体１１０の内部へ移動する前の状態である。ここで、電源プラグ挿入口１１２に電源プラグ１１４が挿入されると、レバー部１６０が電源プラグ１１４の挿入方向へ移動する。それに伴って、ラックギア１８５も電源プラグ１１４の挿入方向へ移動する。
【００４５】
そうすると、ラックギア１８５と噛合しているピニオンギア１８６が、矢印１８６Ａ方向に回転する。それに伴い、ピニオンギア１８６と噛合しているギア１８７が矢印１８７Ａ方向に回転する。さらに、ギア１８７と噛合しているピニオンギア１８８が矢印１８８Ａ方向に回転する。ピニオンギア１８８が矢印１８８Ａ方向に回転すると、ピニオンギア１８８と噛合しているラックギア１８４が筐体１１０の内部に移動するため、ラックギア１８４と連結している取手１３０が筐体１１０の内部に移動する。図７は、取手１３０が筐体１１０の内部に移動し終えた状態を示している。
【００４６】
本実施形態では、ラックギア１８４とラックギア１８５との間には、ピニオンギア１８６、ギア１８７およびピニオンギア１８８の３つのギアがあるが、これは、ラックギア１８５の移動によって、取手１３０が筐体１１０の内部に移動し終えるために必要な移動量を確保するためである。すなわち、ピニオンギア１８６、ギア１８７およびピニオンギア１８８は、ラックギア１８５の移動量（レバー部１６０の移動量）と取手１３０の移動量の調整機構である。
【００４７】
このように、電源プラグ１１４が電源プラグ挿入口１１２に挿入されることに伴って取手１３０が自動的に筐体１１０の内部へ移動するため、ユーザが取手１３０を筐体１１０の内部へ移動し忘れる事態が生じることがない。また、可搬装置１００を使用する際には、取手１３０は筐体１１０の内部へ移動し終えている（格納状態にある）ため、取手１３０が邪魔になることがない。
【００４８】
次に、本発明の第３実施形態について説明する。
【００４９】
取手１３０は、手動で筐体１１０の内部へ移動する構成としてもよい。この構成は、可搬装置１００を使用するときには、ユーザが取手１３０を筐体１１０の内部へ押し込むものである。この構成は、仮に、第１実施形態または第２実施形態において示した格納機構が故障した場合等に有効である。また、ユーザ自身が取手１３０を筐体１１０の内部へ押し込むため、取手１３０が強制的に筐体１１０の内部へ移動するわけではないので、ユーザが取手１３０において手を挟む虞がない。
【００５０】
最後に、本発明の第４実施形態について説明する。
【００５１】
図８は、本発明の第４実施形態に係る可搬装置１００の制御機構を示す図である。
【００５２】
可搬装置１００は、ＣＰＵ２００、ＲＯＭ２１０、ＲＡＭ２２０、検知部２３０および入力部２４０をさらに備える。ＣＰＵ２００は、本発明の制御部に相当する。
【００５３】
ＣＰＵ２００は、ＲＯＭ２１０から制御プログラムを読み込んで実行し、可搬装置１００の各部を総括的に制御する。ＲＡＭ２２０は、ＣＰＵ２００のワーキングエリアとして活用される。検知部２３０は、取手１３０が筐体１１０の内部に位置している状態（格納状態）を検知する。入力部２４０は、検知部２３０からの検知信号を、ＣＰＵ２００に対して、可搬装置１００の動作を有効にする信号として入力する。そして、ＣＰＵ２００は、入力部２４０から信号が入力されていると判断すると、可搬装置１００の動作を有効にする。
【００５４】
この構成では、取手１３０が筐体１１０の内部に位置している場合（格納状態にある場合）に限り、可搬装置１００の動作が有効になる（可搬装置１００が使用可能となる）ものである。この構成により、可搬装置１００を動作させるためには、取手１３０が筐体１１０の内部に位置している必要があるため、電源プラグ１１４が電源プラグ挿入口１１２に挿入された状態では、可搬装置１００は、ユーザによって運搬され難い状態にある。
【００５５】
したがって、電源プラグ１１４が電源プラグ挿入口１１２に挿入されたままの状態、すなわち、可搬装置１００の動作が有効である状態において、ユーザが取手１３０を把持して可搬装置１００を運搬する事態が生じないため、電源コードに負荷がかかることによる電源コードへのダメージが発生することを回避できる。また、電源コードからの張力が可搬装置１００にかかることがないため、当該張力によってユーザが取手１３０から手をすべらせて可搬装置１００を落下させる危険性を回避できる。
【００５６】
図９は、本発明の第４実施形態に係る可搬装置１００のＣＰＵ２００の制御内容を示す図である。
【００５７】
ＣＰＵ２００は、入力部２４０から信号が入力されているか否かを判断する（Ｓ１０）。ＣＰＵ２００は、入力部２４０から信号が入力されていないと判断すると（Ｓ１０のＮ）、可搬装置１００の動作を無効にするように制御する（Ｓ２０）。ＣＰＵ２００は、入力部２４０から信号が入力されていると判断すると（Ｓ１０のＹ）、可搬装置１００の動作を有効にするように制御する（Ｓ３０）。その後、ＣＰＵ２００は、入力部２４０から信号が入力されていると判断する限りにおいて（Ｓ４０のＮ）、可搬装置１００の動作の有効を維持する（Ｓ３０）。
【００５８】
ＣＰＵ２００は、入力部２４０から信号が入力されなくなったと判断すると（Ｓ４０のＹ）、可搬装置１００の動作を無効にするように制御する（Ｓ２０）。その後、ＣＰＵ２００は、入力部２４０から信号が入力されていないと判断する限りにおいて（Ｓ１０のＮ）、可搬装置１００の動作の無効を維持する（Ｓ２０）。
【００５９】
この構成では、取手１３０が筐体１１０の内部に位置している場合（格納状態にある場合）に限り、検知部２３０によって取手１３０が検知されるため、検知部２３０からの検知信号が入力部２４０に伝達されることにより、入力部２４０がＣＰＵ２００に信号を入力するので、可搬装置１００の動作が有効になる（可搬装置１００が使用可能となる）ものである。この構成により、可搬装置１００を動作させるためには、取手１３０が筐体１１０の内部に位置している必要があるため、電源プラグ１１４が電源プラグ挿入口１１２に挿入された状態では、可搬装置１００は、ユーザによって運搬され難い状態にある。
【００６０】
したがって、電源プラグ１１４が電源プラグ挿入口１１２に挿入されたままの状態、すなわち、可搬装置１００の動作が有効である状態において、ユーザが取手１３０を把持して可搬装置１００を運搬する事態が生じないため、電源コードに負荷がかかることによる電源コードへのダメージが発生することを回避できる。また、電源コードからの張力が可搬装置１００にかかることがないため、当該張力によってユーザが取手１３０から手をすべらせて可搬装置１００を落下させる危険性を回避できる。
【００６１】
また、本実施形態は、第１実施形態または第２実施形態において示した格納機構が故障した場合に、第３実施形態において示したように、ユーザが手動で取手１３０を筐体１１０の内部へ移動させる必要がある場合に、取手１３０を筐体１１０の内部に確実に移動し終える（格納状態にする）ことができるため、上述の効果を確実に奏することができる。
【００６２】
なお、「発明を実施するための形態」において、第１実施形態〜第４実施形態について説明したが、これらの実施形態は、それぞれ任意に組み合わせることが可能である。
【００６３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６４】
１００−可搬装置
１１０−筐体
１１２−電源プラグ挿入口
１１４−電源プラグ
１３０−取手
１４０−圧縮バネ
１５０−ロック爪
１６０−レバー部
１７０−リンク部
１８１−スイッチ
１８２−ピニオンギア
１８３−ラックギア
１８４−ラックギア
１８５−ラックギア
１８６−ピニオンギア
１８７−ギア
１８８−ピニオンギア
２００−ＣＰＵ
２３０−検知部
２４０−入力部
【図１】
2012042025.tif 000003
【図２】
2012042025.tif 000004
【図３】
2012042025.tif 000005
【図４】
2012042025.tif 000006
【図５】
2012042025.tif 000007
【図６】
2012042025.tif 000008
【図７】
2012042025.tif 000009
【図８】
2012042025.tif 000010
【図９】
2012042025.tif 000011